(57)【要約】【課題】  現用機から予備機への切り替えの際に、高優先サービスを早期に復旧する。【解決手段】  制御装置１２は、各現用ＯＬＴ１０ａ，１０ｂ，１０ｃの優先管理情報を、更新の都度又は定期的に予備ＯＬＴ１０ｄに転送する。現用ＯＬＴ１０ａ，１０ｂ，１０ｃの何れかで障害が発生した場合、制御装置１２は、障害が発生したＯＬＴを指名して予備ＯＬＴ１０ｄに管理の代行を指示する。予備ＯＬＴ１０ｄは、制御装置１２からの管理情報の更新の通知を受けると、制御装置１２から送付される優先管理情報を、ＲＡＭ５４ｄの対応データ領域５５ａ，５５ｂ又は５５ｃに格納する。制御装置１２から代行の指示を受けると、予備ＯＬＴ１０ｄは、通知された障害発生ＯＬＴの優先管理情報を使って、障害発生ＯＬＴの配下のＯＮＵの管理を開始する。【選択図】  図１
2008072370.tif 000002
【特許請求の範囲】
【請求項１】
光伝送路（１４ａ，１６ａ；１４ｂ，１６ｂ；１４ｃ，１６ｃ）を介して複数のユーザ光終端装置（１８ａ−１〜１８ａ−ｎ，１８ｂ−１〜１８ｂ−ｎ，１８ｃ−１〜１８ｃ〜ｎ）にそれぞれ接続する複数の現用光終端ユニット（１０ａ，１０ｂ，１０ｃ）であって、それぞれが、接続する各ユーザ光終端装置の管理情報に従い、接続する各ユーザ光終端装置の通信を制御する複数の現用光終端ユニットと、
当該複数の現用光終端ユニット（１０ａ，１０ｂ，１０ｃ）の当該管理情報の内の優先管理情報を記憶可能な記憶装置（５４ｄ）を具備する予備光終端ユニット（１０ｄ）と、
当該複数の現用光終端ユニット（１０ａ，１０ｂ，１０ｃ）の内の障害が発生した障害発生ユニットから当該予備光終端ユニット（１０ｄ）への切り替えを制御する制御装置（１２）
とを具備し、
当該制御装置（１２）は、当該障害の発生前には、当該現用光終端ユニット（１０ａ，１０ｂ，１０ｃ）の当該優先管理情報を当該予備光終端ユニットに転送し、当該障害の発生に応じて、当該予備光終端ユニットに当該障害発生ユニットの代行を指示し、
当該予備光終端ユニットは、当該制御装置からの当該代行の指示に従い、当該障害発生ユニットの当該優先管理情報を使って、当該障害発生ユニットを代行する
ことを特徴とする光終端システム。
【請求項２】
当該予備光終端ユニットは、当該制御装置からの当該代行の指示に従い、当該障害発生ユニット以外の当該優先管理情報を破棄し、そのメモリ空間を解放することを特徴とする請求項１に記載の光終端システム。
【請求項３】
光伝送路（１４ａ，１６ａ）を介して複数のユーザ光終端装置（１８ａ−１〜１８ａ−ｎ）に接続し、接続する各ユーザ光終端装置の通信を制御する光終端装置の予備機として使用される光終端ユニットであって、
現用機として使用される複数の現用光終端ユニットの優先管理情報を記憶可能な記憶装置（５４ｄ）と、
当該複数の現用光終端ユニット（１０ａ，１０ｂ，１０ｃ）の内の障害が発生した障害発生ユニットの代行の指示に従い、当該障害発生ユニットの当該優先管理情報を使って、当該障害発生ユニットを代行するＣＰＵ（４６ｄ）
とを具備することを特徴とする光終端ユニット。
【請求項４】
当該ＣＰＵ（４６ｄ）は、当該代行の指示に従い、当該障害発生ユニット以外の当該優先管理情報を破棄し、そのメモリ空間を解放することを特徴とする請求項３に記載の光終端ユニット。
【請求項５】
複数の現用光終端ユニットの内の障害が発生した障害発生ユニットから予備光終端ユニットに切り替える方法であって、
当該障害の発生前に、当該複数の現用光終端ユニット（１０ａ，１０ｂ，１０ｃ）の管理情報の内の優先管理情報を、それぞれ所定のタイミングで当該予備光終端ユニット（１０ｄ）に転送し、
当該障害発生ユニットの当該障害の発生に応じて、当該予備光終端ユニットに当該障害発生ユニットの代行を指示し、
当該予備光終端ユニットが、当該代行の指示に従い、当該障害発生ユニットの当該優先管理情報を使って、当該障害発生ユニットを代行する
ことを特徴とする方法。
【請求項６】
当該予備光終端ユニットは、当該代行の指示に従い、当該障害発生ユニット以外の当該優先管理情報を破棄し、そのメモリ空間を解放することを特徴とする請求項５に記載の方法。
【請求項７】
当該予備光終端ユニットは、当該代行の指示に従い、当該障害発生ユニットの当該優先管理情報では不足する管理情報を収集することを特徴とする請求項５又は６に記載の方法。
【発明の詳細な説明】
【技術分野】
【０００１】
本発明は、光伝送システムの光終端システム、光終端ユニット及び切替え方法に関し、より具体的には、ＰＯＮ（Passive Optical Network）システムのＯＬＴ（Optical Line Terminal）機能を有する冗長構成の光終端システム、予備機として使用される光終端ユニット、及び、現用機から予備機への切替え方法に関する。
【背景技術】
【０００２】
ＰＯＮシステムは、センター局に配置される光終端装置ＯＬＴと複数のユーザ宅の光終端装置ＯＮＵ（Optical Network Unit）とを、光ファイバ及び光スプリッタからなる受動光素子を介して接続する光伝送システムである（例えば、特許文献１）。
【０００３】
ＰＯＮシステムは、インターネットのアクセス回線として普及するに留まらず、放送及び電話を含めた複合サービスに提供するシステムとして利用されつつある。緊急通報にも対応可能なＩＰ電話が、現在、商用提供されている。また、ＣＳ（Ｃｏｍｍｕｎｉｃａｔｉｏｎｓ  Ｓａｔｅｌｌｉｔｅ）放送もＩＰベースにて、ＰＯＮシステムなどを用いた光アクセス回線を利用して各家庭に提供されており、さらに、２００８年には、地上波デジタル放送も提供される可能性がある。
【特許文献１】特開２００５−１７５５９９公報
【発明の開示】
【発明が解決しようとする課題】
【０００４】
このように、緊急通報可能なＩＰ電話、又は放送提供用途に、ＰＯＮなどの光アクセスシステムを利用する場合、ネットワーク機器の故障による接続断は可能な限り避けなければならない。
【０００５】
ＰＯＮシステムでは、一つの局側装置であるＯＬＴに複数ユーザが接続されている。ＯＬＴの障害がユーザに及ぼす影響は大きく、ＯＬＴの故障による接続断は、可能な限り避けなければならない。ＯＬＴの交換は、配下の全ユーザへのサービスの一時停止に繋がる。
【０００６】
本発明は、冗長構成により耐障害性能を高め、短時間に予備システムに切り替え可能な光終端システム、予備機として使用される光終端ユニット、及び、現用機から予備機への切替え方法を提示することを目的とする。
【課題を解決するための手段】
【０００７】
本発明に係る光終端システムは、光伝送路を介して複数のユーザ光終端装置にそれぞれ接続する複数の現用光終端ユニットであって、それぞれが、接続する各ユーザ光終端装置の管理情報に従い、接続する各ユーザ光終端装置の通信を制御する複数の現用光終端ユニットと、当該複数の現用光終端ユニットの当該管理情報の内の優先管理情報を記憶可能な記憶装置を具備する予備光終端ユニットと、当該複数の現用光終端ユニットの内の障害が発生した障害発生ユニットから当該予備光終端ユニットへの切り替えを制御する制御装置とを具備する。当該制御装置は、当該障害の発生前には、当該現用光終端ユニットの当該優先管理情報を当該予備光終端ユニットに転送し、当該障害の発生に応じて、当該予備光終端ユニットに当該障害発生ユニットの代行を指示する。当該予備光終端ユニットは、当該制御装置からの当該代行の指示に従い、当該障害発生ユニットの当該優先管理情報を使って、当該障害発生ユニットを代行する。
【０００８】
本発明に係る光終端ユニットは、光伝送路を介して複数のユーザ光終端装置に接続し、接続する各ユーザ光終端装置の通信を制御する光終端装置の予備機として使用される光終端ユニットであって、現用機として使用される複数の現用光終端ユニットの優先管理情報を記憶可能な記憶装置と、当該複数の現用光終端ユニットの内の障害が発生した障害発生ユニットの代行の指示に従い、当該障害発生ユニットの当該優先管理情報を使って、当該障害発生ユニットを代行するＣＰＵとを具備することを特徴とする。
【０００９】
本発明に係る切替え方法は、複数の現用光終端ユニットの内の障害が発生した障害発生ユニットから予備光終端ユニットに切り替える方法である。当該障害の発生前に、当該複数の現用光終端ユニットの管理情報の内の優先管理情報を、それぞれ所定のタイミングで当該予備光終端ユニットに転送する。当該障害発生ユニットの当該障害の発生に応じて、当該予備光終端ユニットに当該障害発生ユニットの代行を指示する。そして、当該予備光終端ユニットが、当該代行の指示に従い、当該障害発生ユニットの当該優先管理情報を使って、当該障害発生ユニットを代行する。
【発明の効果】
【００１０】
本発明では、複数の現用光終端ユニットが保持する重要性が高く早急に復旧すべきサービス（高優先サービス）に関する情報を事前に予備光終端ユニットに転送しているので、障害発生後の高優先サービスの復旧に要する時間を大幅に短縮できる。
【発明を実施するための最良の形態】
【００１１】
以下、図面を参照して、本発明の実施例を詳細に説明する。
【００１２】
図１は、本発明の一実施例の概略構成ブロック図を示す。本実施例では、現用の３つのＯＬＴ１０ａ，１０ｂ，１０ｃと、予備の１つのＯＬＴ１０ｄと、ＯＬＴ１０ａ，１０ｂ又は１０ｃの故障時にＯＬＴ１０ｄに切り替える制御装置１２が、同一の架の異なるスロットに収容されている。ＯＬＴ１０ａ，１０ｂ，１０ｃ，１０ｄは、特許請求の範囲にいう光終端ユニットに対応する。ＯＬＴ１０ａ，１０ｂ，１０ｃ，１０ｄは、同じ構成と機能からなる。説明上、現用ＯＬＴ１０ａで現用機の機能を説明し、予備ＯＬＴ１０ｄで予備機の機能を説明する。
【００１３】
ＯＬＴ１０ａの光入出力ポートは、光ファイバ１４ａ及び光カップラ１６ａからなる第１のＰＯＮ伝送路を介して複数のＯＮＵ１８ａ−１〜１８ａ−ｎに接続する。同様に、ＯＬＴ１０ｂの光入出力ポートは、光ファイバ１４ｂ及び光カップラ１６ｂからなる第２のＰＯＮ伝送路を介して複数のＯＮＵ１８ｂ−１〜１８ｂ−ｎに接続する。ＯＬＴ１０ｃの光入出力ポートは、光ファイバ１４ｃ及び光カップラ１６ｃからなる第３のＰＯＮ伝送路を介して複数のＯＮＵ１８ｃ−１〜１８ｃ−ｎに接続する。本実施例では、３つのＰＯＮシステムが１つのセンター局に収容されている。３つのＰＯＮシステムのそれぞれに収容されるユーザ数（ＯＮＵ数）を等しくｎとしたが、これが、ＰＯＮシステム上の収容可能ユーザ値が等しいことを示すものであり、一般的には、現実のユーザ数は互いに異なる。
【００１４】
予備ＯＬＴ１０ｄの光入出力ポートは、光ファイバ１４ｄを介して光スイッチ２０の光セレクタ２２の共通接点に接続する。光セレクタ２２は、選択可能な接点２２ａ〜２２ｄを具備する。接点２２ａは、光ファイバ１４ａ上の光カップラ２４ａに接続し、接点２２ｂは、光ファイバ１４ｂ上の光カップラ２４ｂに接続し、接点２２ｃは、光ファイバ１４ｃ上の光カップラ２４ｃに接続する。光カップラ２４ａは、ＯＬＴ１０ａの光入出力ポートから出力された信号光、及び、光セレクタ２２の接点２２ａからの信号光を光カップラ１６ａに供給し、且つ、光カップラ１６ａからの信号光を２分割し、一方をＯＬＴ１０ａの光入出力ポートに供給し、他方を光セレクタ２２の接点２２ａに供給する光素子である。光カップラ２４ｂ，２４ｃも、光カップラ２４ａと同様の光素子からなる。
【００１５】
接点２２ｄは、無反射終端されている。光セレクタ２２は、ＯＬＴ１０ｄを待機させているときに接点２２ｄに接続する。これにより、予備状態のＯＬＴ１０ｄを信号光出力状態にしておいても、その信号光が、何れかのＰＯＮ伝送路に流れ込まないようにできる。即ち、ＯＬＴ１０ｄを電源投入状態で待機させることができる。
【００１６】
光スイッチ２０は、空間的に光パスを切替える構造でもよいし、汎用的な光クロスコネクト装置を本実施例の用途に使用するものであってもよい。たとえば、障害が発生する前の現用状態では、ＯＬＴ１０ａ，１０ｂ，１０ｃ側の光スイッチポートと光カップラ１６ａ，１６ｂ，１６ｃ側の光スイッチポート間の光信号が、光ファイバ内を導波されるのではなく、空間伝送される光パスを形成する。そして、障害発生時には、ミラーなどの光パス切替え手段により、当該光パスを、予備ＯＬＴ１０ｄに接続される予備光スイッチポートと障害が発生した現用ＯＬＴ１６ａ，１６ｂ又は１６ｃに接続されていた光カップラ１６ａ，１６ｂ又は１６ｃ側の光スイッチポートを接続する光パスへと切り替える。
【００１７】
ＯＬＴ１０ａ〜１０ｄの上流側には、ＯＬＴ１０ａ〜１０ｃの何れか１つの障害時に、障害のあるＯＬＴから予備のＯＬＴ１０ｄに切り替える電気スイッチ３０が配置される。電気スイッチ３０は、具体的には、上位ネットワークをＯＬＴ１０ａ又はＯＬＴ１０ｄの電気入出力ポートに選択的に接続するスイッチ３０ａと、上位ネットワークをＯＬＴ１０ｂ又はＯＬＴ１０ｄの電気入出力ポートに選択的に接続するスイッチ３０ｂと、上位ネットワークをＯＬＴ１０ｃ又はＯＬＴ１０ｄの電気入出力ポートに選択的に接続するスイッチ３０ｃとからなる。
【００１８】
スイッチ３０ａは、通常時には、上位ネットワークとＯＬＴ１０ａの電気入出力ポートとを接続し、ＯＬＴ１０ａの障害時には、上位ネットワークとＯＬＴ１０ｄの電気入出力ポートとを接続する。同様に、スイッチ３０ｂは、通常時には、上位ネットワークとＯＬＴ１０ｂの電気入出力ポートとを接続し、ＯＬＴ１０ｂの障害時には、上位ネットワークとＯＬＴ１０ｄの電気入出力ポートとを接続する。スイッチ３０ｃは、通常時には、上位ネットワークとＯＬＴ１０ｃの電気入出力ポートとを接続し、ＯＬＴ１０ｃの障害時には、上位ネットワークとＯＬＴ１０ｄの電気入出力ポートとを接続する。
【００１９】
電気スイッチ３０は、上位ネットワーク側ポートが一つで、信号が保持する送信元および宛先アドレス情報より、転送先ＯＬＴ側ポートを決定する形態でもよい。その場合、電気スイッチ３０は、障害が発生した時点で電気スイッチ３０が保持する転送先情報（テーブル情報）を更新する。
【００２０】
ＯＬＴ１０ａの構成を説明する。ネットワークインターフェース４０ａは、上位ネットワークからの信号を多重分離装置４２ａに供給する。多重分離装置４２ａは、ネットワークインターフェース４０ａからの信号の内、配下のＯＮＵ１８ａ−１〜１８ａ−ｎ又は更にその配下の装置に宛てた信号を電気／光変換器４４ａに供給し、ＯＬＴ１０ａ自身に宛てた信号をＣＰＵ４６ａに供給する。ＣＰＵ４６ａはまた、配下のＯＮＵ１８ａ−１〜１８ａ−ｎに宛てた信号（例えば、ＯＮＵ１８ａ−１〜１８ａ−ｎを管理するための制御信号等）を多重分離装置４２ａに供給し、多重分離装置４２ａは、これらの信号もまた電気／光変換器４４ａに供給する。多重分離装置４２ａは、ネットワークインターフェース４０ａからの信号のデータフレーム構造を、ＰＯＮシステムのためのデータフレーム構造に変換する機能を具備する。
【００２１】
電気／光変換器４４ａは、多重分離装置４２ａからの電気信号を光信号に変換する。電気／光変換器４４ａから出力される光信号は、ＷＤＭ光カップラ４８ａを介して光ファイバ１４ａに出力され、光カップラ１６ａを介してＯＮＵ１８ａ−１〜１８ａ−ｎに入射する。
【００２２】
各ＯＮＵ１８ａ−１〜１８ａ−ｎから出力される光信号は、光カップラ１６ａ及び光ファイバ１４ａを介してＷＤＭ光カップラ４８ａに入射する。ＷＤＭ光カップラ４８ａは、光ファイバ１４ａから入射する光信号を光／電気変換器５０ａに供給する。光／電気変換器５０ａはＷＤＭ光カップラ４８ａからの光信号を電気信号に変換する。光／電気変換器４８ａから出力される電気信号は、多重分離装置５２ａに入力する。多重分離装置５２ａは、光／電気変換器５０ａからの信号の内、ＯＬＴ１０ａ自身に宛てた信号（例えば、ロジカルリンクの登録を要求する信号など）をＣＰＵ４６ａに供給する。ＣＰＵ４６ａはまた、上位ネットワークの機器に宛てた信号を多重分離装置５２ａに出力する。
【００２３】
多重分離装置５２ａは、光／電気変換器５０ａからの信号の内、上位ネットワークに送出すべき信号と、ＣＰＵ４６ａからの信号を、上位ネットワークでのデータ伝送に摘記したデータフレーム構造でネットワークインターフェース４０ａに供給する。ネットワークインターフェース４０ａは、多重分離装置５２ａからの信号を、スイッチ３０ａを介して上位ネットワークに送出する。
【００２４】
ＣＰＵ４６ａは、起動時に、配下のＯＮＵ１８ａ−１〜１８ａ−ｎと情報をやり取りし、種々の管理情報をＲＡＭ５４ａに格納する。管理情報には、例えば、ＯＮＵの種別（メーカ及びファームウエア等）といった固定的な管理情報の他に、ＯＬＴ１０ａ又ＯＮＵ１８ａ−１〜１８ａ−ｎの始動時に設定され、以後、基本的に変化しない静的管理情報と、ユーザの利用状況に応じて動的に変動する動的管理情報がある。静的管理情報には、例えば、ＰＯＮ伝送制御用途のロジカルリンク情報やＳＬＡ（Ｓｅｒｖｉｃｅ  Ｌｅｖｅｌ  Ａｇｒｅｅｍｅｎｔ）情報などがある。動的管理情報は、例えば、マルチキャスト伝送用のマルチキャストアドレス情報（ＩＧＭＰテーブル情報）、ＭＡＣアドレス情報（ロジカルリンクとＭＡＣアドレスとのマッピング情報であるＭＡＣテーブル情報）、又はこれらの両方からなる。
【００２５】
また、これらの管理情報は、現用から予備への切り替えの迅速化のために、予備機が優先的に保持しておくべき管理情報と、事後的に取得すればよい管理情報に区分できる。優先管理情報は、例えば、ＩＰ電話の管理情報、及びＩＰマルチキャスト放送の管理情報などの、優先すべきトラフィックの管理情報である。これに対して、ウエブ及びＦＴＰ等のインターネットトラフィックは、優先すべきトラフィックにはあたらず、従って、その管理情報も、優先管理情報に劣後する管理情報ということになる。本実施例では、前者の優先管理情報が、制御装置１２を介して、更新の都度又は間欠的に予備ＯＬＴ１０ｄのＲＡＭ５４ｄにバックアップされる。
【００２６】
また、光パワーモニタ５６ａは、電気／光変換器４４ａの出力光パワーをモニタし、モニタ結果をＣＰＵ４６ａに通知する。モニタ５８ａは、光／電気変換器５０ａの出力電気信号をモニタし、モニタ結果をＣＰＵ４６ａに通知する。これにより、ＣＰＵ４６ａは、配下のＰＯＮ伝送路とＯＮＵ１８ａ−１〜１８ａ−ｎの異常および電気／光変換器４４ａと光／電気変換器５０ａの異常を検知できる。ＷＤＭ光カップラ４８ａとスイッチ２０の間で、上り信号光と下り信号光をモニタしてもよい。ＣＰＵ４６ａは、その他の箇所の動作状況を監視する機能を具備し、これらによる異常検知時にその旨を制御装置１２に通知する。また、スイッチ２０内で、上り信号光と下り信号光をモニタしてもよい。その場合には、スイッチ２０が異常を検知し、制御装置１２に通知する。
【００２７】
ＯＬＴ１０ｂ，１０ｃ，１０ｄもまた、ＯＬＴ１０ａと同じ構成及び機能を具備する。ＯＬＴ１０ｄの部品４０ｄ〜５８ｄは、ＯＬＴ１０ａの部品４０ａ〜５８ａとそれぞれ対応する。
【００２８】
制御装置１２は、現用のＯＬＴ１０ａ，１０ｂ，１０ｃの動作を監視し、ＯＬＴ１０ａ，１０ｂ，１０ｃの管理情報、特に優先管理情報を、その更新の都度又は定期的に予備ＯＬＴ１０ｄに転送する。予備ＯＬＴ１０ｄは、制御装置１２から転送された各現用ＯＬＴ１０ａ，１０ｂ，１０ｃの管理情報をＲＡＭ５４ｄ内に、データ５５ａ，５５ｂ，５５ｃとして別々に記憶する。即ち、データ５５ａは、現用ＯＬＴ１０ａの優先管理情報であり、データ５５ｂは、現用ＯＬＴ１０ｂの優先管理情報であり、データ５５ｃは、現用ＯＬＴ１０ｃの優先管理情報である。
【００２９】
制御装置１２は、現用ＯＬＴ１０ａ，１０ｂ，１０ｃの何れか、例えば現用ＯＬＴ１０ａから故障の通知を受けると、現用ＯＬＴ１０ａを代行するように予備ＯＬＴ１０ｄに指示し、光スイッチ２０のセレクタ２２を端子２２ａに接続し、電気スイッチ３０のスイッチ３０ａを予備ＯＬＴ０ｄ側に切り替える。予備ＯＬＴ１０ｄは、制御装置１２からのこの代行指示に従い、他のＯＬＴ１０ｂ，１０ｃのデータ５５ｂ，５５ｃを消去してそのメモリ空間を解放し、データ５５ａを使い、ＯＬＴ１０ａの代替機として、ＯＮＵ１８ａ−１〜１８ａ−ｎの上り及び下りの光伝送を管理する。
【００３０】
電気スイッチ３０が、ＩＥＥＥ  Ｐ８０２．３ａｄのリンクアグリゲーションのような自律切替え機能を具備するＬ２スイッチである場合、制御装置１２からの切替え指示は不要である。
【００３１】
図２は、制御装置１２及び予備ＯＬＴ１０ｄの相互作用を説明する動作フローチャートを示す。
【００３２】
制御装置１２は、現用ＯＬＴ１０ａ，１０ｂ，１０ｃの優先管理情報の更新を監視しており（Ｓ１）、更新があると、その優先管理情報を取得して、予備ＯＬＴ１０ｄに転送する（Ｓ３）。又は、各ＯＬＴ１０ａ，１０ｂ，１０ｃは、優先管理情報を更新すると、更新後の優先管理情報を制御装置１２に転送し、制御装置１２は、受信した優先管理情報を予備ＯＬＴ１０ｄに転送する。
【００３３】
優先管理情報の更新無しに（Ｓ１）、一定時間が経過した場合にも（Ｓ２）、制御装置１２は、一定時間が経過した現用ＯＬＴ１０ａ，１０ｂ，１０ｃの優先管理情報を予備ＯＬＴ１０ｄに転送する（Ｓ３）。
【００３４】
優先管理情報を予備ＯＬＴ１０ｄに転送した場合（Ｓ３）、制御装置１２は、経過時間を計数するタイマ（図示せず）をリセットする（Ｓ４）。タイマは、現用ＯＬＴ１０ａ，１０ｂ，１０ｃ毎に用意される。
【００３５】
図２に示すフローでは、一定時間が経過した場合にも、現用ＯＬＴ１０ａ，１０ｂ，１０ｃの優先管理情報を予備ＯＬＴ１０ｄに転送することとしているが、現用ＯＬＴの管理情報が更新されたときにのみ、当該管理情報を予備ＯＬＴ１０ｄに転送してもよい。その場合には、現用ＯＬＴ１０ａ，１０ｂ，１０ｃはタイマを具備しなくてもよい。
【００３６】
このように、一定時間毎、又は、更新があったときにはその都度、優先管理情報を予備ＯＬＴ１０ｄに送信する間に、現用ＯＬＴ１０ａ，１０ｂ，１０ｃの何れかで障害が発生した場合（Ｓ５）、制御装置１２は、障害が発生したＯＬＴを指名して予備ＯＬＴ１０ｄに管理の代行を指示し、光スイッチ２０及び電気スイッチ３０を、障害発生ＯＬＴから予備ＯＬＴ１０ｄに切り替える（Ｓ６）。
【００３７】
制御装置１２は、予備ＯＬＴ１０ｄからの移行完了の通知（Ｓ１５）を待って、障害発生ＯＬＴを停止する（Ｓ７）。これは、障害発生ＯＬＴが、正常に動作しない場合、例えば、光信号を出し続ける障害に備えての処置である。停止の指示は、電源オフの指示を含む。
【００３８】
予備ＯＬＴ１０ｄは、制御装置１２からの管理情報の更新の通知又は代行指示を待機している（Ｓ１１）。管理情報の更新の通知（Ｓ３）を受けると（Ｓ１１）、ＯＬＴ１０ｄのＣＰＵ４６ｄは、制御装置１２から送付される優先管理情報を、ＲＡＭ５４ｄの対応データ領域５５ａ，５５ｂ又は５５ｃに格納する。例えば、現用ＯＬＴ１０ａの優先管理情報はデータ領域５５ａに格納され、現用ＯＬＴ１０ｂの優先管理情報はデータ領域５５ｂに格納され、現用ＯＬＴ１０ｃの優先管理情報はデータ領域５５ｃに格納される。
【００３９】
また、代行指示（Ｓ６）を受けると（Ｓ１１）、予備ＯＬＴ１０ｄは、通知された障害発生ＯＬＴの優先管理情報を使って、障害発生ＯＬＴの配下のＯＮＵの管理を開始する。例えば、障害発生ＯＬＴがＯＬＴ１０ａである場合、予備ＯＬＴ１０ｄは、データ領域５５ａの優先管理情報を使って、ＯＮＵ１８ａ−１〜１８ａ−ｎの上り及び下りの信号伝送の管理を開始する。
【００４０】
予備ＯＬＴ１０ｄは、障害発生ＯＬＴ（例えば、ＯＬＴ１０ａ）以外の現用ＯＬＴ（例えば、ＯＬＴ１０ｂ，１０ｃ）のデータ領域（例えば、データ領域５５ｂ、５５ｃ）のデータを破棄して、このデータ領域を解放する（Ｓ１４）。これにより、予備ＯＬＴ１０ｄは、データ領域５５ｂ，５５ｃを障害発生ＯＬＴ配下のＯＮＵの管理に利用できる。ＲＡＭ５４ｄとして、複数のＰＯＮシステムを管理できるほどの広いメモリ空間を持たなくて良くなる。
【００４１】
このようにして、障害発生ＯＬＴが管理していたＰＯＮシステムの管理を掌握すると、予備ＯＬＴ１０ｄは、移行完了を制御装置１２に通知する（Ｓ１５）。
【００４２】
予備ＯＬＴ１０ｄは、予め保持した優先管理情報以外の管理情報、すなわち非優先トラフィックに関する管理情報がある場合（Ｓ１６）、その管理情報を、ＯＬＴ１０ｄを流れるトラフィックの監視又は配下のＯＮＵに問い合わることで取得する（Ｓ１７）。
【００４３】
優先管理情報か非優先管理情報かは、接続業者により決定される。例えば、サービス品質を保証されたトラフィックに対する管理情報を優先管理情報として、サービス品質を保証しないトラフィックに対する管理情報を非優先管理情報とする。
【００４４】
このように、本実施例では、優先管理情報を予め予備ＯＬＴ１０ｄに格納しておくので、現用ＯＬＴの障害発生時に、予備ＯＬＴが、迅速にその代替として動作しうる。従前の切り替えでは、予備のＯＬＴは、配下のＯＮＵを探索するプロセスから開始するので、ＯＬＴの切り替えに長い空白期間、即ち、通信不能期間が発生した。しかし、本実施例では、予備のＯＬＴは、障害の発生したＯＬＴの優先管理情報を引継ぐので、少なくとも優先トラフィックについて、ＯＬＴの切り替えに伴う空白時間を大幅に短縮できる。
【００４５】
現用機の障害発生時に予備機に切り替えるプロセスを説明したが、障害発生ＯＬＴを交換して、障害発生以前の状態に戻す切戻しの場合にも適用可能であり、サービス断時間を大幅に短縮できる。例えば、現用されている予備ＯＬＴ１０ｄの優先管理情報を、修理されたＯＬＴ１０ａにコピーしてから、予備ＯＬＴ１０ｄから修理されたＯＬＴ１０ａに管理を移管すれば良い。
【００４６】
ＲＡＭ５４ｄが現用ＯＬＴ１０ａ，１０ｂ，１０ｃの全管理情報を保持できるほどに十分大きな容量を具備する場合、制御装置１２は、現用ＯＬＴ１０ａ，１０ｂ，１０ｃの全管理情報を予備ＯＬＴ１０ｄのＲＡＭに格納しても良い。これにより、現用機から予備機への管理の移行に要する時間を更に短縮できることは明らかである。
【００４７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４８】
【図１】本発明の一実施例の概略構成ブロック図である。
【図２】制御装置１２及び予備ＯＬＴ１０ｄの相互作用を説明する動作フローチャートである。
【符号の説明】
【００４９】
１０ａ，１０ｂ，１０ｃ：現用ＯＬＴ
１０ｄ：予備ＯＬＴ
１２：制御装置
１４ａ〜１４ｄ：光ファイバ
１６ａ〜１６ｃ：光カップラ
１８ａ−１〜１８ａ−ｎ：ＯＮＵ
１８ｂ−１〜１８ｂ−ｎ：ＯＮＵ
１８ｃ−１〜１８ｃ−ｎ：ＯＮＵ
２０：光スイッチ
２２：光セレクタ
２２ａ〜２２ｄ：選択可能な接点
２４ａ〜２４ｃ：光カップラ
３０：電気スイッチ
３０ａ，３０ｂ，３０ｃ：スイッチ
４０ａ，４０ｄ：ネットワークインターフェース
４２ａ，４２ｄ：多重分離装置
４４ａ，４４ｄ：電気／光変換器
４６ａ，４６ｄ：ＣＰＵ
４８ａ，４８ｄ：ＷＤＭ光カップラ
５０ａ，５０ｄ：光／電気変換器
５２ａ，５２ｄ：多重分離装置
５４ａ，５４ｄ：ＲＡＭ
５５ａ，５５ｂ，５５ｃ：データ（データ領域）
５６ａ，５６ｄ：光パワーモニタ
５８ａ，５８ｄ：モニタ
【図１】
2008072370.tif 000003
【図２】
2008072370.tif 000004